(57)【特許請求の範囲】
【請求項１】
貯湯タンク内の湯水を加熱する加熱運転と空調対象空間を空調する空調運転とを実行可能なヒートポンプ装置と、
そのヒートポンプ装置の運転を制御する運転制御手段とが設けられ、
その運転制御手段が、空調要求があると、前記ヒートポンプ装置を空調運転させ、かつ、貯湯要求があると、前記ヒートポンプ装置を加熱運転させるように構成されている貯湯式の給湯熱源装置であって、
前記空調対象空間の空調状態を検出する空調状態検出手段が設けられ、
前記運転制御手段が、前記空調要求があるときに、前記空調状態検出手段の検出情報に基づいて、前記空調対象空間が目標空調状態を満たしていることを検出すると、前記貯湯要求の有無にかかわらず、前記ヒートポンプ装置の運転を継続させたまま加熱運転に切り換える強制加熱運転を実行するとともに、その強制加熱運転中に、前記空調状態検出手段の検出情報に基づいて、前記空調対象空間が目標空調状態を満たしていないことを検出すると、前記ヒートポンプ装置の運転を継続させたまま空調運転に切り換えるように構成され、
前記運転制御手段が、前記強制加熱運転において、前記貯湯タンク内の湯水を加熱する加熱能力を予め設定した強制運転用能力にて前記ヒートポンプ装置を加熱運転させるように構成され、
前記貯湯タンク内に湯水が温度成層を形成して貯湯されるように、貯湯タンクの底部から取り出した湯水を前記ヒートポンプ装置にて加熱したのち、その温水を前記貯湯タンクの上部に供給する湯水循環状態にて前記貯湯タンク内の湯水を加熱する湯水循環手段が設けられ、
前記運転制御手段が、前記加熱運転および前記強制加熱運転において、前記貯湯タンクの上部に供給する加熱温水の温度を貯湯目標温度に維持するように湯水の循環量を増減制御して前記湯水循環手段の運転を制御するように構成されている貯湯式の給湯熱源装置。
【発明の詳細な説明】
【０００１】
【発明の属する技術分野】
本発明は、貯湯タンク内の湯水を加熱する加熱運転と空調対象空間を空調する空調運転とを実行可能なヒートポンプ装置と、そのヒートポンプ装置の運転を制御する運転制御手段とが設けられ、その運転制御手段が、空調要求があると、前記ヒートポンプ装置を空調運転させ、かつ、加熱要求があると、前記ヒートポンプ装置を加熱運転させるように構成されている貯湯式の給湯熱源装置に関する。
【０００２】
【従来の技術】
上記のような貯湯式の給湯熱源装置は、貯湯タンク内の湯水の加熱と空調対象空間の空調との熱源を共通のヒートポンプ装置として、コストの低減を図っているものであり、空調要求があると、ヒートポンプ装置を空調運転させて、空調対象空間として各部屋の室内温度が空調用目標温度になるように空調を行い、また、加熱要求があると、ヒートポンプ装置を加熱運転させて、貯湯タンク内の湯水を加熱するようにしているものである。
そして、空調対象空間としての各部屋に部屋内の温度を検出することにより室内が空調目標状態を満たしているか否かを検出する空調用サーミスタが設けられ、例えば、空調要求として空調暖房要求があるときには、ヒートポンプ装置を空調暖房運転させ、空調用サーミスタが空調用目標温度になると、ヒートポンプ装置の運転を停止させ、その停止させた状態において、空調用サーミスタが空調用目標温度よりも低くなると、ヒートポンプ装置の運転を再開させるように、ヒートポンプ装置を断続運転させることにより空調対象空間を目標空調状態に空調するようにしている。
【０００３】
【発明が解決しようとする課題】
しかしながら、上記従来のものでは、空調要求があると、ヒートポンプ装置を断続運転させて空調対象空間を空調するために、ヒートポンプ装置を何度も運転させることとなるので、効率の低い運転初期を何度も含む状態でヒートポンプ装置を運転させることとなって、装置の効率が低いものとなっていた。
【０００４】
本発明は、かかる点に着目してなされたものであり、その目的は、効率を向上させながら、空調対象空間が目標空調状態を満たすように空調することが可能となる貯湯式の給湯熱源装置を提供する点にある。
【０００５】
【課題を解決するための手段】
この目的を達成するために、請求項１に記載の発明によれば、貯湯タンク内の湯水を加熱する加熱運転と空調対象空間を空調する空調運転とを実行可能なヒートポンプ装置と、そのヒートポンプ装置の運転を制御する運転制御手段とが設けられ、その運転制御手段が、空調要求があると、前記ヒートポンプ装置を空調運転させ、かつ、貯湯要求があると、前記ヒートポンプ装置を加熱運転させるように構成されている貯湯式の給湯熱源装置において、
前記空調対象空間の空調状態を検出する空調状態検出手段が設けられ、
前記運転制御手段が、前記空調要求があるときに、前記空調状態検出手段の検出情報に基づいて、前記空調対象空間が目標空調状態を満たしていることを検出すると、前記貯湯要求の有無にかかわらず、前記ヒートポンプ装置の運転を継続させたまま加熱運転に切り換える強制加熱運転を実行するとともに、その強制加熱運転中に、前記空調状態検出手段の検出情報に基づいて、前記空調対象空間が目標空調状態を満たしていないことを検出すると、前記ヒートポンプ装置の運転を継続させたまま空調運転に切り換えるように構成され、
前記運転制御手段が、前記強制加熱運転において、前記貯湯タンク内の湯水を加熱する加熱能力を予め設定した強制運転用能力にて前記ヒートポンプ装置を加熱運転させるように構成され、
前記貯湯タンク内に湯水が温度成層を形成して貯湯されるように、貯湯タンクの底部から取り出した湯水を前記ヒートポンプ装置にて加熱したのち、その温水を前記貯湯タンクの上部に供給する湯水循環状態にて前記貯湯タンク内の湯水を加熱する湯水循環手段が設けられ、
前記運転制御手段が、前記加熱運転および前記強制加熱運転において、前記貯湯タンクの上部に供給する加熱温水の温度を貯湯目標温度に維持するように湯水の循環量を増減制御して前記湯水循環手段の運転を制御するように構成されている。
【０００６】
すなわち、空調要求があると、ヒートポンプ装置を空調運転させ、空調対象空間が目標空調状態を満たすと、ヒートポンプ装置の運転を継続させたまま加熱運転を実行し、空調対象空間が目標空調状態を満たさなくなると、ヒートポンプ装置の運転を継続させたまま空調運転を実行することができることとなって、ヒートポンプ装置を連続運転させながら、空調対象空間を目標空調状態に空調することができることとなる。
したがって、効率の低い運転初期を回避しながらヒートポンプ装置を運転させることができ、効率を向上させながら、空調対象空間が目標空調状態を満たすように空調することが可能となる貯湯式の給湯熱源装置を提供することができるに至った。
【０００７】
又、請求項１に記載の発明によれば、予め設定された比較的加熱能力の小さい強制運転用能力にてヒートポンプ装置を加熱運転させることが可能となるので、貯湯タンク内の湯水を多量に加熱をすることを防止することが可能となって、貯湯要求が無い状態での、貯湯タンク内の湯水の加熱を最小限に抑えることが可能となる。
【０００８】
さらに、請求項１に記載の発明によれば、加熱運転および強制加熱運転において、貯湯目標温度の湯水を貯湯タンクの上部に供給することが可能となって、貯湯タンク内に形成されている温度成層を乱すことなく貯湯タンク内に温度成層を形成しながら、貯湯タンク内の湯水を加熱することが可能となる。
【０００９】
【発明の実施の形態】
本発明にかかる貯湯式の給湯熱源装置をエンジンヒートポンプ式冷暖房給湯システムに適応した例を図面に基づいて説明する。
このエンジンヒートポンプ式冷暖房給湯システムは、図１および２に示すように、貯湯タンク１内に温度成層を形成しながら貯湯したり、貯湯タンク１内に貯湯された湯水を給湯したり、貯湯タンク１内の湯水を加熱して外部放熱部２にて放熱する貯湯ユニットＡと、空調対象空間の空調運転と貯湯タンク１内の湯水を加熱するための加熱運転を実行可能なヒートポンプ装置としてのエンジンヒートポンプ式冷暖房装置Ｂとから構成されている。
【００１０】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４、循環路３を通流する湯水と熱交換して放熱する外部放熱部２などから構成され、循環ポンプＰ１を作動させて貯湯タンク１内の湯水を循環路３にて循環しながら、加熱部４にて加熱したり、外部放熱部２にて放熱するようにしている。
【００１１】
前記貯湯タンク１内には、その貯湯量が給湯用貯湯量としての最低確保量以上であるかを、その湯温を検出することにより検出する最上部サーミスタＳ１、その貯湯量が少以上であるかを、その湯温を検出することにより検出する上部サーミスタＳ２、その貯湯量が中以上であるかを、その湯温を検出することにより検出する中部サーミスタＳ３、その貯湯量が満以上であるかを、その湯温を検出することにより検出する底部サーミスタＳ４が設けられている。
複数のサーミスタの設置位置は、貯湯タンク１の上位から、最上部サーミスタＳ１、上部サーミスタＳ２、中部サーミスタＳ３、底部サーミスタＳ４の順になっている。
そして、使用者の必要に応じて貯湯リモコンＲ２などにより、貯湯タンク１内の目標貯湯量を、「少」、「中」、「満」の３つの貯湯量からひとつを選択できるようにしている。
【００１２】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５と混合用給水路７との分岐箇所には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００１３】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、ミキシングバルブ８にて混合された湯水の温度を検出するミキシングサーミスタ１４、給湯路６の湯水の流量を調整する給湯用水比例バルブ１５が設けられている。
【００１４】
前記給湯用水比例バルブ１５よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００１５】
そして、一般給湯路１６に給湯するときには、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するように構成されている。
また、浴槽に湯張りするときには、湯張り電磁弁２２を開弁させ、ミキシングバブル８にて湯張り設定温度に調整された湯水を風呂戻り路１８および風呂往き路１９の両路から浴槽に供給し、浴槽内に湯張り設定量の湯水が供給されると、湯張り電磁弁２２を閉弁させて浴槽への湯張りを行うように構成されている。
給湯操作手段Ｇが、貯湯出口サーミスタ１３、給水サーミスタ９、ミキシングバルブ８、ミキシングサーミスタ１４、および、湯張り電磁弁２２などにより構成されている。
【００１６】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００１７】
そして、上部接続路２５には、上部開閉弁２８が設けられ、戻し路２６には、戻し開閉弁２９が設けられ、上部開閉弁２８を開弁させることによって、循環路３を通流する湯水を貯湯タンク１内の上部に供給したり、貯湯タンク１内の上部の湯水を循環路３に取り出したりするようにし、戻し開閉弁２９を開弁させることによって、循環路３を通流する湯水を貯湯タンク１内の底部に戻すことができるようにしている。
ちなみに、取り出し路２７には、貯湯タンク１内の湯水を排水するための排水路３０が接続され、その排水路３０の途中部には、安全弁３１と手動バルブ３２とが並列に接続されている。
【００１８】
前記加熱部４は、エンジンヒートポンプ式冷暖房装置Ｂによる冷媒を供給して湯水を加熱するヒートポンプ式加熱部３３と、エンジンヒートポンプ式冷暖房装置Ｂのエンジン排熱を回収した冷却水を供給して湯水を加熱するエンジン排熱利用式加熱部３４と、バーナ３６の燃焼により湯水を加熱する補助加熱部３５とから構成されている。
そして、循環路３の湯水の循環方向において上流側から順に、ヒートポンプ式加熱部３３、エンジン排熱利用式加熱部３４、補助加熱部３５が設けられている。
【００１９】
前記補助加熱部３５は、ガス燃焼式のバーナ３６およびこのバーナ３６に燃焼用空気を供給するファン３７などが設けられ、バーナ３６の燃焼により循環路３を通流する湯水を加熱するように構成されている。
前記バーナ３６に燃料ガスを供給する燃料供給路３８には、上流側から、ガスセフティ弁３９、ガス比例弁４０、ガスメイン弁４１の順に設けられ、また、補助加熱部３５には、補助加熱部３５に通流する湯水の流量を検出する水量センサ６４が設けられている。
ちなみに、補助加熱部３５は、水量センサ６４にて設定量以上の水量が検出されると、バーナ３６の燃焼を開始し、入り温度サーミスタ６１および水量センサ６４の検出情報に基づいて、ファン３７の回転速度およびガス比例弁４０の開度を調整して、補助加熱部３５にて加熱した湯水の温度を調整するように構成されている。
【００２０】
前記外部放熱部２は、循環路３を通流する湯水と暖房用の熱媒としての温水とを熱交換する暖房用放熱部４２と、循環路３を通流する湯水と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
また、暖房用循環路３ａには、暖房用放熱部４２よりも湯水の循環方向の上流側に暖房用開閉弁４４が設けられ、風呂用循環路３ｂには、風呂用放熱部４３よりも湯水の循環方向の上流側に風呂用開閉弁４５が設けられている。
【００２１】
前記暖房用放熱部４２には、暖房ポンプＰ２を作動させることにより、暖房戻り路４６および暖房往き路４７を通して循環する熱媒を循環路３を通流する湯水にて加熱するように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられ、暖房操作手段Ｊが、暖房戻りサーミスタ４８や暖房ポンプＰ２などにより構成されている。
【００２２】
前記補給水タンク４９には、水位の上限を検出する上限センサ５１と下限を検出する下限センサ５２とが設けられ、補給水タンク４９に給水するためのタンク給水路５３が接続され、そのタンク給水路５３には、補給水電磁弁５４が設けられている。
また、暖房戻り路４６からの熱媒を暖房用放熱部４２を迂回して暖房往き路４７に供給する暖房バイパス路５５が設けられている。
【００２３】
前記風呂用放熱部４３には、風呂ポンプＰ３を作動させることにより、風呂戻り路１８および風呂往き路１９を通して循環する浴槽内の湯水を循環路３を通流する湯水にて加熱するように構成されている。
前記風呂戻り路１８には、浴槽内の湯水の循環方向の上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられ、風呂ポンプＰ３を作動させて、浴槽内の湯水を風呂戻り路１８および風呂往き路１９にて循環させながら、風呂用放熱部４３にて加熱しながら追焚きするように構成されている。
そして、風呂操作手段Ｈが、水位センサ５６、風呂戻りサーミスタ５７、風呂ポンプＰ３などにより構成されている。
【００２４】
前記循環路３には、湯水の循環方向において取り出し路２７との接続箇所よりも上流側に、取り出し路２７を通して貯湯タンク１内の湯水を循環路３に取り出すための取り出し開閉弁６０が設けられ、エンジン排熱利用式加熱部３４と補助加熱部３５との間に、補助加熱部３５に通流する湯水の温度を検出する入り温度サーミスタ６１、循環路３を通流する湯水の循環流量を検出する循環流量センサ６２、循環ポンプＰ１、補助加熱部３５への湯水の通流を断続する補助用断続開閉弁６３が設けられている。
また、循環路３における補助加熱部３５と上部接続路２５との接続箇所との間には、循環路３を通流する湯水の循環流量を調整する循環用水比例バルブ６５、加熱部４にて加熱された後の循環路３の湯水の温度を検出する貯湯サーミスタ６６が設けられている。
【００２５】
そして、循環流量センサ６２の検出情報に基づいて、循環用水比例バルブ６５の開度を調整することにより循環路３における循環流量を調整するように構成され、貯湯サーミスタ６６の検出情報に基づいて、循環路３における循環流量や補助加熱部３５における加熱量などを調整することにより加熱部４にて加熱された後の循環路３を通流する湯水の温度を調整自在に構成され、循環調整手段Ｆが、循環流量センサ６２、循環用水比例バルブ６５、貯湯サーミスタ６６などにより構成されている。
【００２６】
前記循環路３には、取り出し開閉弁６０よりも湯水の循環方向の上流側と、ヒートポンプ式加熱部３３とエンジン排熱利用式加熱部３４との間をバイパスするヒートポンプバイパス路６７が設けられ、このヒートポンプバイパス路６７に設けられたヒートポンプバイパス開閉弁７０を開弁させて、ヒートポンプバイパス路６７に湯水を通流させて、ヒートポンプ式加熱部３３を迂回して湯水を循環させるようにしている。
また、補助加熱部３５を迂回させて湯水を循環させるための補助用バイパス路６８が、循環路３において、循環ポンプＰ１と補助用断続開閉弁６３との間と補助加熱部３５と循環用水比例バルブ６５との間をバイパスするように接続され、この補助用バイパス路６８には、補助バイパス開閉弁７０が設けられている。
【００２７】
このようにして、取り出し開閉弁６０、上部開閉弁２８、戻し開閉弁２９、補助用断続開閉弁６３、補助バイパス開閉弁７０などの夫々の開閉弁を開閉制御することにより、貯湯タンク１の底部から取り出した湯水をヒートポンプ式加熱部３３にて加熱したのち、その温水を貯湯タンク１の上部に戻したり、貯湯タンク１の底部から取り出した湯水を補助加熱部３５にて加熱したのち、その温水を貯湯タンク１の上部に戻すように構成されている。
湯水循環手段Ｅが、循環路３、循環ポンプＰ１、および、取り出し開閉弁６０、上部開閉弁２８、戻し開閉弁２９などの複数の開閉弁により構成されている。
【００２８】
前記エンジンヒートポンプ式冷暖房装置Ｂは、図２に示すように、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒートポンプ式加熱部３３とは、冷媒配管７３で接続され、エンジンヒートポンプ式冷暖房装置Ａにおける冷媒をヒートポンプ式加熱部３３に供給できるように構成されている。
【００２９】
前記複数の室内機７１の夫々には、電子膨張弁７４、室内熱交換器７５、その室内熱交換器７５で温調した空気を空調対象空間へ送出する室内空調用送風機７６、空調対象空間としての各部屋の室内の温度を検出する空調状態検出手段としての空調サーモＺが備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、および、ラジエーター用送風機８４も備えられている。
ヒートポンプ運転手段Ｋが、電子膨張弁７４、室内空調用送風機７６、ガスエンジン７７、圧縮機７８、四方弁８０、室外空調用送風機８２などにより構成されている。
【００３０】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００３１】
そして、エンジンヒートポンプ式冷暖房装置Ｂは、空調リモコンＲ１の指令に基づいてヒートポンプ運転制御部Ｄにて運転が制御され、ガスエンジン７７により圧縮機７８を作動させて、四方弁８０の切換え操作により空調冷房運転と空調暖房運転とを選択切換え自在に構成され、室内機７１の電子膨張弁７４の開閉制御により、空調要求のある部屋の空調を行うように構成されている。
また、ヒートポンプ式加熱部３３にて循環路３の湯水を加熱するときには、加熱運転として空調暖房運転させるとともに、ＨＰ加熱用電子膨張弁７４ａを制御して、ヒートポンプ式加熱部３３に冷媒を供給するように構成されている。
【００３２】
前記空調冷房運転においては、室内熱交換器７５を蒸発器として機能させて、空調対象空間への供給空気を冷却温調し、室外熱交換器８１を凝縮器として機能させて外気に対して放熱するようにしている。
この空調冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
また、空調冷房運転において、排熱切換機構８６を加熱状態に切り換えることによって、エンジン排熱利用式加熱部３４にて循環路３を通流する湯水を加熱するようにしている。
【００３３】
前記空調冷房運転における冷媒の流れについて説明を加えると、図２の実線矢印に示すように、圧縮機７８から吐出される高圧乾き蒸気冷媒を、四方弁８０を介して室外熱交換器８１に供給し、この室外熱交換器８１において外気との熱交換により凝縮される。
そして、室外熱交換器８１から送出される凝縮工程通過冷媒を、電子膨張弁７４を介して室内熱交換器７５に供給し、この室内熱交換器７５において冷却対象空気との熱交換により蒸発される。
その後、室内熱交換器７５から送出される低圧乾き蒸気冷媒を、四方弁８０およびアキュムレータ７９を介して圧縮機７８の吸入口に戻す。
【００３４】
前記空調暖房運転においては、室内熱交換器７５を凝縮器として機能させて、空調対象空間への供給空気を加熱温調し、室外熱交換器８１を蒸発器として機能させて外気から吸熱するようにしている。
この空調暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
また、この空調暖房運転において、ＨＰ加熱用電子膨張弁７４ａを開閉制御して、冷媒配管７３を通してヒートポンプ式加熱部３３に高圧冷媒を供給することにより循環路３を通流する湯水を加熱するようにしている。
【００３５】
前記空調暖房運転における冷媒の流れについて説明を加えると、図２の点線矢印に示すように、圧縮機７８から吐出される高圧乾き蒸気冷媒を、四方弁８０を介して室内熱交換器７５およびヒートポンプ式加熱部３３に供給し、室内熱交換器７５においては加熱対象空気との熱交換により凝縮され、ヒートポンプ式加熱部３３においては循環路３の湯水との熱交換により凝縮される。
そして、室内熱交換器７５およびヒートポンプ式加熱部３３から送出される凝縮工程通過冷媒を、電子膨張弁７４を介して室外熱交換器８１に供給し、この室外熱交換器８１において外気との熱交換により蒸発される。
その後、室外熱交換器８１から送出される低圧乾き蒸気冷媒を四方弁８０およびアキュムレータ７９を介して圧縮機７８の吸入口に戻す。
【００３６】
前記貯湯ユニット制御部Ｃとヒートポンプ運転制御部Ｄとは、エンジンヒートポンプ式冷暖房装置Ｂが空調運転中であることや、エンジンヒートポンプ式冷暖房装置Ｂへの駆動要求などの制御信号を送受信可能に構成にされ、貯湯ユニット制御部Ｃとヒートポンプ運転制御部Ｄとにより運転制御手段Ｕが構成されている。
そして、貯湯ユニット制御部Ｃとヒートポンプ運転制御部Ｄは、図３に示すように、空調対象空間としての各部屋に設置されている空調リモコンＲ１や貯湯リモコンＲ２の指令に基づいて、空調対象空間への空調冷房運転や空調暖房運転などの空調運転、貯湯タンク１内に湯水を貯湯する貯湯運転、外部放熱部２にて放熱する放熱運転、貯湯タンク１内の貯湯量が最低確保量未満のときに給湯する給湯優先運転などの夫々の運転を実行するように構成されている。
【００３７】
前記エンジンヒートポンプ式冷暖房装置Ｂの運転について説明すると、空調リモコンＲ１から空調冷房要求や空調暖房要求などの空調要求があると、ヒートポンプ運転制御部Ｄがヒートポンプ運転手段Ｋおよび冷却水循環手段Ｌの運転を制御し、空調リモコンＲ１による空調要求に基づいて、ガスエンジン７７により圧縮機７８を作動させて、四方弁８０の切換え操作により空調冷房運転と空調暖房運転とを選択切換え、室内機７１の電子膨張弁７４の開閉制御により、各空調対象空間への空調を切り換えて、ヒートポンプ運転手段Ｋを制御するように構成されている。
【００３８】
すなわち、ヒートポンプ運転制御部Ｄは、空調リモコンＲ１から空調冷房要求があると、空調冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御して空調冷房運転を実行する。
【００３９】
また、ヒートポンプ運転制御部Ｄは、空調リモコンＲ１から空調暖房要求があると、空調暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御して空調暖房運転を実行する。
そして、空調暖房運転中に、空調サーモＺの検出情報に基づいて、その検出温度が空調暖房用設定温度以上になって室内が目標空調状態を満たしていることを検出すると、その空調サーモＺが設置されている室内機７１の運転を停止するとともに、空調サーモＺの検出情報に基づいて、その検出温度が空調暖房用設定温度未満になって室内が目標空調状態を満たしていないことを検出すると、その空調サーモＺが設置されている室内機７１の運転を再開するようにしている。
【００４０】
このようにして、空調暖房要求がある室内を空調暖房して、すべての空調サーモＺが空調暖房用設定温度以上になってすべての部屋が目標空調状態を満たしていることを検出すると、貯湯要求の有無にかかわらず、ＨＰ加熱用電子膨張弁７４ａを開状態にして、エンジンヒートポンプ式冷暖房装置Ｂの運転を継続させたままエンジンヒートポンプ式冷暖房装置Ｂの運転を貯湯タンク１内の湯水を加熱する加熱運転に切り換える強制加熱運転を実行するように構成されている。
そして、その強制加熱運転中に、複数の空調サーモＺの検出情報に基づいて、少なくともひとつの空調サーモＺが空調暖房用設定温度未満になって少なくともひとつの部屋が目標空調状態を満たしていないことを検出すると、ＨＰ加熱用電子膨張弁７４ａを閉状態にするとともに、空調サーモＺが空調暖房用設定温度未満となった室内機７１の運転を再開して、エンジンヒートポンプ式冷暖房装置Ｂの運転を継続させたまま空調暖房運転に切り換えるように構成されている。
【００４１】
前記強制加熱運転について説明を加えると、ＨＰ加熱用電子膨張弁７４ａを開状態にするとともに、回転速度センサ７７ａの検出情報に基づいて、ガスエンジン７７の回転速度が強制運転用能力回転速度（例えば、空調暖房運転中と同等の低い回転速度）の一定の回転速度になるようにして、貯湯タンク内の湯水を加熱する加熱能力を予め設定した強制運転用能力にてエンジンヒートポンプ式冷暖房装置Ｂを運転させるようにしている。
また、ヒートポンプ運転制御部Ｄが、貯湯ユニットＡに貯湯動作を実行するように貯湯ユニット制御部Ｃに制御信号を送信し、貯湯ユニットＡを貯湯動作させるようにしている。
すなわち、貯湯ユニット制御部Ｃは、ヒートポンプ運転制御部Ｄからの制御信号を受信すると、貯湯要求の有無にかかわらず、後述する貯湯運転を実行するように構成されている。
【００４２】
このようにして、空調暖房要求があると、エンジンヒートポンプ式冷暖房装置Ｂを空調暖房運転させ、空調対象空間が目標空調状態を満たすと、エンジンヒートポンプ式冷暖房装置Ｂの運転を継続させたまま加熱運転を実行し、空調対象空間が目標空調状態を満たさなくなると、エンジンヒートポンプ式冷暖房装置Ｂの運転を継続させたまま空調暖房運転を実行することができることとなって、エンジンヒートポンプ式冷暖房装置Ｂを連続運転させながら、空調対象空間を目標空調状態に空調することができることとなる。
したがって、効率の低い運転初期を回避しながらエンジンヒートポンプ式冷暖房装置Ｂを運転させることができ、効率を向上させながら、空調対象空間が目標空調状態を満たすように空調することが可能となった。
【００４３】
そして、冷却水循環手段Ｌは、空調冷房運転において、ラジエーター用ポンプＰ４を作動させ、ラジエーター用送風機８４を作動させラジエーター８３にて放熱させるようにし、エンジン排熱利用式加熱部３４にて加熱可能なときには、冷却水路８５を通流する冷却水が加熱用設定温度以上になると、排熱切換機構８６を加熱状態に切り換えて、冷却水をエンジン排熱利用式加熱部３４に供給するようにしている。
また、空調暖房運転において、ラジエーター用ポンプＰ４を作動させ、ラジエーター用送風機８４を作動させラジエーター８３にて放熱させるようにし、エンジン排熱利用式加熱部３４にて加熱可能なときには、暖房負荷が小さくかつ冷却水路８５を通流する冷却水が加熱用設定温度以上になると、排熱切換機構８６を加熱状態に切り換えて、冷却水をエンジン排熱利用式加熱部３４に供給するようにしている。
【００４４】
前記空調暖房運転における制御動作について、図６のフローチャートに基づいて説明を加える。
この空調暖房運転は、各部屋に設置されている空調リモコンＲ１から空調暖房要求があると、その部屋の空調サーモＺが空調リモコンＲ１にて設定されている空調暖房用設定温度未満で部屋が目標空調状態でなく、かつ、強制加熱運転中でなければ、空調要求のある部屋を暖房する空調暖房運転を実行する（ステップ１，３，５）。
ちなみに、空調暖房運転を実行しているときには、空調サーモＺが空調暖房用設定温度以上になってその部屋が目標空調状態を満たしていることを検出すると、電子膨張弁７４を閉状態にし、空調サーモＺが空調暖房用設定温度未満になってその部屋が目標空調状態を満たしていないことを検出すると、電子膨張弁７４を開状態にするようにしている。
【００４５】
そして、空調暖房運転を実行して、空調暖房要求のある室内に対応するすべての空調サーモＺが空調暖房用設定温度以上になってすべての部屋が目標空調状態を満たしていることを検出すると、上述の強制加熱運転を実行する（ステップ１，２）。
また、この強制加熱運転中に、空調要求のある室内に対応する空調サーモＺのうち、少なくともひとつの空調サーモＺが空調暖房用設定温度未満となって少なくともひとつの部屋が目標空調状態を満たしていないことを検出すると、空調暖房運転を再開する（ステップ３〜５）。
【００４６】
このようにして、空調要求のある部屋のすべてが目標空調状態を満たしていることを検出すると、強制加熱運転を実行し、空調要求のある部屋のうち、少なくともひとつが目標空調状態を満たしていないことを検出すると、空調暖房運転を再開するようにし、空調暖房要求のすべてがなくなると、ガスエンジン７７の運転を停止させエンジンヒートポンプ式冷暖房装置Ｂの運転を停止させる空調暖房運転停止処理を実行する（ステップ６，７）。
【００４７】
次に、貯湯ユニットＡの運転について説明すると、貯湯リモコンＲ２の要求指令などに基づいて、貯湯ユニット制御部Ｃが、湯水循環手段Ｅ、循環調整手段Ｆ、給湯操作手段Ｇ、風呂操作手段Ｈ、暖房操作手段Ｊ、補助熱交換部３５の夫々の運転を制御して、貯湯運転、放熱運転、および、給湯優先運転などの夫々の運転を実行するように構成されている。
また、エンジンヒートポンプ式冷暖房装置Ｂが強制加熱運転中であると、貯湯運転を実行するように構成されている。
【００４８】
前記湯水循環手段Ｅについて具体的に説明すると、この湯水循環手段Ｅは、貯湯タンク１に湯水を貯湯するときに、貯湯用運転としての貯湯状態および貯湯初期状態の２つの状態の夫々に切り換えられ、外部放熱部２にて放熱するときに、放熱用運転としての追焚き循環状態、暖房循環状態、暖房・追焚き同時循環状態、ＨＰ加熱許容循環状態の４つの状態の夫々に切り換えられるように構成されている。
また、貯湯タンク１内の貯湯量が最低確保量未満のときに、一般給湯路１６に給湯するときに、給湯優先状態に切り換えられるように構成されている。
【００４９】
そして、貯湯タンク１に湯水を貯湯するときには、ヒートポンプ式加熱部３３にて加熱された湯水の温度が貯湯許容温度に満たないときには、貯湯初期状態に切り換えて貯湯タンク１内の湯水を循環させ、ヒートポンプ式加熱部３３にて加熱された湯水の温度が貯湯許容温度になると、貯湯状態に切り換えて貯湯タンク１に貯湯するようにしている。
また、外部放熱部２にて放熱するときには、追焚き要求のみの要求があると、追焚き循環状態に切り換え、暖房要求のみの要求があると、暖房循環状態に切り換え、追焚き要求および暖房要求の両要求があると、暖房・追焚き同時循環状態に切り換えるようにし、さらに、追焚き要求のみの要求があるときに、ヒートポンプ式加熱部３３での加熱が可能であると、ＨＰ加熱許容循環状態に切り換えるようにしている。
ちなみに、ヒートポンプ式加熱部３３での加熱が可能であるときは、外気温度が４℃以上、ヒートポンプ式加熱部３３に通流する湯水の温度が３５℃以下、エンジンヒートポンプ式冷暖房装置Ｂが空調運転していないという３つの条件がすべて満たされているときとなっている。
【００５０】
以下、湯水循環手段Ｅの夫々の状態について説明を加える。
なお、この湯水循環手段Ｅの夫々の状態における説明において、上部開閉弁２８、戻し開閉弁２９、取り出し開閉弁６０、ヒートポンプバイパス弁６９、補助用断続開閉弁６３、および、補助バイパス開閉弁７０の開閉状態について、開弁させる開閉弁のみを記載し、記載していない開閉弁については閉弁させるものとする。
【００５１】
前記貯湯状態においては、補助バイパス弁７０および上部開閉弁２８を開弁させるとともに、循環ポンプＰ１を作動させ、貯湯タンク１内に湯水が温度成層を形成して貯湯させるように、貯湯タンク１の底部から取り出した湯水をヒートポンプ式加熱部３３にて加熱したのち、その温水を補助加熱部３５を迂回して貯湯タンク１の上部に戻すようにしている。
前記貯湯初期状態においては、補助バイパス弁７０、暖房用開閉弁４４および戻し開閉弁２９を開弁させるとともに、循環ポンプＰ１を作動させ、貯湯タンク１の底部から取り出した湯水をヒートポンプ式加熱部３３にて加熱したのち、その湯水を補助加熱部３５を迂回して貯湯タンク１の底部に戻すようにしている。
【００５２】
前記追焚き循環状態においては、ヒートポンプバイパス開閉弁６９、補助用断続開閉弁６３および風呂用開閉弁４５を開弁させるとともに、循環ポンプＰ１を作動させ、補助加熱部３５にて加熱された温水の全量を風呂用放熱部４３に供給して放熱させたのち、その全量をヒートポンプ式加熱部３３を迂回して補助加熱部３５に戻すようにしている。
前記暖房循環状態においては、ヒートポンプバイパス開閉弁６９、補助用断続開閉弁６３および暖房用開閉弁４４を開弁させるとともに、循環ポンプＰ１を作動させ、補助加熱部３５にて加熱された温水の全量を暖房用放熱部４２に供給して放熱させたのち、その全量をヒートポンプ式加熱部３３を迂回して補助加熱部３５に戻すようにしている。
【００５３】
前記暖房・追焚き同時循環状態においては、ヒートポンプバイパス開閉弁６９、補助用断続開閉弁６３、風呂用開閉弁４５および暖房用開閉弁４４を開弁させるとともに、循環ポンプＰ１を作動させ、補助加熱部３５にて加熱された温水の全量を風呂用放熱部４３および暖房用放熱部４２に供給して放熱させたのち、その全量をヒートポンプ式加熱部３３を迂回して補助加熱部３５に戻すようにしている。
前記ＨＰ加熱許容循環状態においては、取り出し開閉弁６０、補助用断続開閉弁６３および風呂用開閉弁４５を開弁させるとともに、循環ポンプＰ１を作動させ、ヒートポンプ式加熱部３３および補助加熱部３５にて加熱された温水を風呂用加熱部４３にて放熱させたのち、その全量をヒートポンプ式加熱部３３に戻すようにしている。
【００５４】
前記給湯優先状態においては、補助用断続開閉弁６３および上部開閉弁２８を開弁させるとともに、循環ポンプＰ１を作動させ、補助加熱部３５にて加熱された温水を給湯路６に給湯するようにしている。
なお、この給湯優先状態において、ヒートポンプ式加熱部３３にて加熱可能なときには、エンジンヒートポンプ式冷暖房装置Ｂを空調暖房運転させて、冷媒をヒートポンプ式加熱部３３に供給するようにしてもよい。
【００５５】
前記貯湯ユニット制御部Ｃの運転として、貯湯運転、放熱運転、および、給湯優先運転について説明する。
前記貯湯ユニット制御部Ｃが、貯湯要求があると、エンジンヒートポンプ式冷暖房装置Ｂを運転させて湯水循環手段Ｅを貯湯用運転させる貯湯運転を実行し、かつ、放熱要求があると、貯湯要求の有無にかかわらず、エンジンヒートポンプ式冷暖房装置Ｂおよび補助加熱部３５のうち、少なくとも補助加熱部３５を運転させて湯水循環手段Ｅを放熱用運転させる放熱運転を実行し、また、貯湯タンク１内の貯湯量が最低確保量未満のときに給湯要求があると、放熱要求の有無にかかわらず、エンジンヒートポンプ式冷暖房装置Ｂおよび補助加熱部３５のうち、少なくとも補助加熱部３５を運転させて湯水循環手段Ｅを貯湯用運転させる給湯優先運転を実行するように構成されている。
【００５６】
すなわち、貯湯運転、放熱運転、および、給湯優先運転のうち実行される運転の優先順位が、給湯優先運転、放熱運転、貯湯運転の順になっている。
そして、湯水循環手段Ｅは、放熱運転において、放熱用運転として追焚き循環状態、暖房循環状態、暖房・追焚き同時循環状態、ＨＰ加熱許容循環状態の４つの状態のいずれかにて運転し、ヒートポンプ式加熱部３３や補助加熱部３５などの加熱部４にて加熱した湯水の全量を外部放熱部２に供給しかつその外部放熱部２を通過した湯水の全量を貯湯タンク１を迂回して加熱部４に直接戻す形態で湯水を循環させるように構成されている。
【００５７】
前記貯湯運転は、加熱要求としての貯湯要求があると、エンジンヒートポンプ式冷暖房装置Ｂを運転させて湯水循環手段Ｅを貯湯用運転させるＨＰ貯湯運転を実行するように構成されている。
前記ＨＰ貯湯運転について具体的に説明すると、まず、エンジンヒートポンプ式冷暖房装置Ｂを加熱運転として空調暖房運転させて高圧冷媒をヒートポンプ式加熱部３３に供給するととともに、湯水循環手段Ｅを貯湯初期状態にて運転させ、貯湯タンク１の底部から取り出した湯水を貯湯タンク１の底部に戻す状態でヒートポンプ式加熱部３３にて湯水を加熱させる。
そして、貯湯サーミスタ６６にて検出される温度が貯湯許容温度以上になると、図１の実線矢印に示すように、湯水循環手段Ｅを貯湯初期状態から貯湯状態に切り換えて、貯湯タンク１の底部から取り出し湯水を貯湯タンク１の上部に戻す状態でヒートポンプ式加熱部３３にて加熱させるとともに、貯湯タンク１の上部に貯湯される温水の温度が貯湯設定温度となるように、貯湯サーミスタ６６の検出情報に基づいて循環用水比例バルブ６５の開度を調整するようにしている。
【００５８】
このようにして、貯湯タンク１内の湯水が温度成層を形成しながら貯湯され、貯湯タンク１の貯湯量が貯湯リモコンＲ２などにより設定された目標貯湯量になると、設定時間貯湯タンク１への貯湯を継続したのち、エンジンヒートポンプ式冷暖房装置Ｂの運転を停止させるとともに、循環ポンプＰ１の作動を停止させかつ開弁している開閉弁を閉弁させて湯水循環手段Ｅの運転を停止させる。
ちなみに、目標貯湯量は、「少」、「中」、「満」のうちのひとつが選択でき、例えば、目標貯湯量として「中」が選択されているときには、中部サーミスタＰ３が貯湯設定温度よりも設定温度だけ低い温度を検出すると、貯湯タンク１の貯湯量が目標貯湯量になっていると検出するようにしている。
【００５９】
前記放熱運転は、追焚き要求のみの要求があると、追焚き運転を実行し、暖房要求のみの要求があると、暖房運転を実行し、追焚き要求および暖房要求の両要求があると、暖房・追焚き同時運転を実行するように構成されている。
【００６０】
前記放熱運転における追焚き運転について具体的に説明すると、ヒートポンプ式加熱部３３での加熱が可能であると、湯水循環手段ＥをＨＰ加熱許容循環状態に切り換え、エンジンヒートポンプ式冷暖房装置Ｂを空調暖房運転させおよび補助加熱部３５の運転を実行し、ヒートポンプ式加熱部３３での加熱が可能でなければ、図４の点線矢印に示すように、湯水循環手段Ｅを追焚き循環状態に切り換え、補助加熱部３５の運転を実行する。
すなわち、貯湯サーミスタ６６による検出温度が追焚き用設定温度になるようにファン３７の回転速度およびガス比例弁４０の開度を調整し、風呂ポンプＰ３を作動させて浴槽内の湯水を風呂戻り路１８および風呂往き路１９を通して循環させる。
そして、風呂用放熱部４３にて浴槽内を湯水を加熱して追焚きし、風呂戻りサーミスタ５７の検出温度が追焚き用設定温度以上になると、風呂ポンプＰ３の作動を停止するとともに、補助加熱部３５の運転および湯水循環手段Ｅの運転を停止させる。
【００６１】
また、貯湯要求と追焚き要求が重なったときには、ヒートポンプ式加熱部３３での加熱が可能であると、湯水循環手段ＥをＨＰ加熱許容循環状態に切り換えて、エンジンヒートポンプ式冷暖房装置Ｂを空調暖房運転させおよび補助加熱部３５の運転を実行し、そして、追焚き要求が満たされたときには、エンジンヒートポンプ式冷暖房装置Ｂを空調暖房運転させたままＨＰ貯湯運転に切り換えて運転するように構成されている。
このようにして、効率の悪いエンジンヒートポンプ式冷暖房装置Ｂの運転初期での運転を回避しながら、エンジンヒートポンプ式冷暖房装置Ｂを運転させることが可能となって、装置の効率を向上させることが可能となる。
【００６２】
前記放熱運転における暖房運転について具体的に説明すると、図４の実線矢印に示すように、湯水循環手段Ｅを追焚き循環状態に切り換え、かつ、貯湯サーミスタ６６による検出温度が暖房用設定温度になるようにファン３７の回転速度およびガス比例弁４０の開度を調整するとともに、暖房ポンプＰ２を作動させて暖房端末からの熱媒を暖房戻り路４６および暖房往き路４７を通して循環させ、暖房用放熱部４２にて熱媒を加熱して暖房端末に供給するようにしている。
【００６３】
前記放熱運転における暖房・追焚き同時運転について具体的に説明すると、図４の実線矢印および点線矢印に示すように、湯水循環手段Ｅを暖房・追焚き同時循環状態に切り換え、かつ、貯湯サーミスタ６６による検出温度が暖房・追焚き同時用設定温度になるようにファン３７の回転速度およびガス比例弁４０の開度を調整するとともに、風呂ポンプＰ３を作動させて浴槽内の湯水を風呂戻り路１８および風呂往き路１９を通して循環させ、かつ、暖房ポンプＰ２を作動させて暖房端末からの熱媒を暖房戻り路４６および暖房往き路４７を通して循環させる。
そして、浴槽の湯水を追焚きするとともに、暖房端末に暖房用放熱部４２にて加熱された熱媒を供給するようにしている。
【００６４】
前記給湯優先運転は、図５の実線矢印に示すように、湯水循環手段Ｅを給湯優先状態に切り換えて、補助加熱部３５を運転させ、補助加熱部３５にて加熱された湯水を上部接続路２５から給湯路６に給湯しながら、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するようにしている。
【００６５】
ちなみに、浴槽に湯張りを行うときには、貯湯タンク１内に貯湯されている湯水を給湯路６に給湯し、給湯優先運転と同様に、湯張り設定温度、貯湯出口サーミスタ１３および給水サーミスタ９の検出情報に基づいて、給湯する湯水の温度が湯張り設定温度になるようにミキシングバルブ８の開度を調整するとともに、ミキシングサーミスタ１４の検出情報に基づいて、その検出温度と湯張り設定温度との偏差に基づいてミキシングバルブ８の開度を微調整するとともに、湯張り電磁弁２２を開弁させ、ミキシングバブル８にて湯張り設定温度に調整された湯水を風呂戻り路１８および風呂往き路１９の両路から浴槽に供給し、浴槽内に湯張り設定量の湯水が供給されると、湯張り電磁弁２２を閉弁させるようにしている。
【００６６】
前記貯湯ユニットＡの制御動作について、図７〜９のフローチャートに基づいて説明する。
エンジンヒートポンプ式冷暖房システムが運転状態において、貯湯タンク１の貯湯量が最低確保量未満の状態で給湯栓が開操作されて給湯中となると、給湯優先運転を実行し（ステップ１１〜１３）、貯湯タンク１の貯湯量が最低確保量以上であるか、または、給湯中でないときに、給湯優先運転を実行していると、補助加熱部３５の運転および循環ポンプＰ１の作動を停止させて給湯優先運転停止処理を実行する（ステップ１４）。
そして、暖房要求や追焚き要求などの放熱要求があると、放熱運転を実行し、貯湯要求があると、貯湯運転を実行する（ステップ１５〜１８）。
【００６７】
前記放熱運転の制御動作について、図８のフローチャートに基づいて説明を加えると、貯湯タンク１の貯湯量が最低確保量未満であって、かつ、給湯栓が開操作されて給湯中であると、給湯優先運転を実行する（ステップ２１〜２３）。
貯湯タンク１の貯湯量が最低確保量以上であるか、または、給湯中でないときに、給湯優先運転を実行していると、補助加熱部３５の運転および循環ポンプＰ１の作動を停止させて給湯優先運転停止処理を実行する（ステップ２４）。
【００６８】
そして、追焚き要求がありかつ暖房要求がないときには、追焚き運転を実行し（ステップ２５〜２７）、追焚き要求および暖房要求の両要求があるときには、暖房・追焚き同時運転を実行し（ステップ２５，２６，２８）、追焚き要求がなくかつ暖房要求があるときには、暖房運転を実行する（ステップ２５，２９，３０）。
このようにして、追焚き要求および暖房要求のいずれかまたは両方が要求されているかによって、その要求に応えるべく、追焚き運転、暖房運転、暖房・追焚き同時運転の夫々の運転を実行し、追焚き要求および暖房要求の要求が満たされて要求が完了すると、湯水循環手段Ｅおよび補助加熱部３５の運転を停止させる放熱停止処理を実行する（ステップ３１，３２）。
【００６９】
前記貯湯運転の制御動作について、図９のフローチャートに基づいて説明を加えると、貯湯タンク１の貯湯量が最低確保量未満であって、かつ、給湯栓が開操作されて給湯中であると、給湯優先運転を実行する（ステップ４１〜４３）。
貯湯タンク１の貯湯量が最低確保量以上であるか、または、給湯中でないときに、給湯優先運転を実行していると、補助加熱部３５の運転および循環ポンプＰ１の作動を停止させて給湯優先運転停止処理を実行する（ステップ４４）。
そして、追焚き要求または暖房要求のいずれかの放熱要求があると、放熱運転を実行し（ステップ４５，４６）、放熱要求がなければ、ＨＰ貯湯運転を実行する（ステップ４７）。
【００７０】
このようにして、ＨＰ貯湯運転にて貯湯タンク１の貯湯量が目標貯湯量になると、設定時間貯湯タンク１への貯湯を継続したのち、エンジンヒートポンプ式冷暖房装置Ｂの運転を停止させるとともに、循環ポンプＰ１の作動を停止させかつ開弁している開閉弁を閉弁させて湯水循環手段Ｅの運転を停止させる貯湯運転停止処理を実行する（ステップ４８，４９）。
【００７２】
〔別実施形態〕
（１）上記実施形態では、貯湯運転中であっても、放熱要求があると、放熱運転を実行して、貯湯運転よりも放熱運転を優先して実行するようにしているが、貯湯運転を放熱運転よりも優先したり、上記実施形態における放熱運転において、上部開閉弁２８を開弁させるなどして、貯湯運転と放熱運転を併用運転するようにして実施することも可能である。
【図面の簡単な説明】
【図１】貯湯運転における貯湯ユニットの概略構成図
【図２】エンジンヒートポンプ式冷暖房装置の概略構成図
【図３】エンジンヒートポンプ式冷暖房給湯システムの制御ブロック図
【図４】放熱運転における貯湯ユニットの概略構成図
【図５】給湯優先運転における貯湯ユニットの概略構成図
【図６】空調暖房運転における制御動作を示すフローチャート
【図７】貯湯ユニットの制御動作を示すフローチャート
【図８】放熱運転における制御動作を示すフローチャート
【図９】貯湯運転における制御動作を示すフローチャート
【符号の説明】
１              貯湯タンク
Ｂ              ヒートポンプ装置
Ｅ              湯水循環手段
Ｕ              運転制御手段
Ｚ              空調状態検出手段
【図１】
0004194215.tif 000002
【図２】
0004194215.tif 000003
【図３】
0004194215.tif 000004
【図４】
0004194215.tif 000005
【図５】
0004194215.tif 000006
【図６】
0004194215.tif 000007
【図７】
0004194215.tif 000008
【図８】
0004194215.tif 000009
【図９】
0004194215.tif 000010